(57)【要約】【課題】包茎ペニスの矯正や勃起持続力の補助具として使用者に苦痛を与えることなく安心して使用可能な性補助具を提供する。【解決手段】性補助部１０は、筒状弾性体１１と、筒状弾性体１１の外周面に装着された複数のリング状弾性体１２〜１５とから構成される。リング状弾性体１２〜１５は筒状弾性体１１に比べて伸縮し難い素材で作られている。また、リング状弾性体１２〜１５のうち、筒状弾性体１１の一端側近傍に装着されたリング状弾性体１２は欠落部分のない完全なリング形状を有し、残りのリング状弾性体１３〜１５はリング途中の少なくとも１箇所に欠落部分を有する不完全なリング形状を有する。【選択図】図１
2010029580.tif 000002
【特許請求の範囲】
【請求項１】
筒状弾性体と、前記筒状弾性体の外周面に装着された複数のリング状弾性体とから構成され、前記複数のリング状弾性体は前記筒状弾性体に比べて伸縮し難い素材で作られており、前記複数のリング状弾性体のうち前記筒状弾性体の一端側近傍に装着されたリング状弾性体は欠落部分のない完全なリング形状を有し、残りのリング状弾性体はリング途中の少なくとも１箇所に欠落部分を有する不完全なリング形状を有することを特徴とする性補助具。
【請求項２】
前記筒状弾性体の外周面のうち、前記複数のリング状弾性体が装着された箇所が凸部を形成し、他の箇所が凹部を形成していることを特徴とする請求項１に記載の性補助具。
【請求項３】
前記筒状弾性体の一端側近傍に装着されたリング状弾性体が、残りのリング状弾性体に比べて太い形状を有することを特徴とする請求項１または２に記載の性補助具。
【請求項４】
前記複数のリング状弾性体が装着された前記筒状弾性体の外周面が前記筒状弾性体と同じ材質の薄い膜でコーティングされていることを特徴とする請求項１乃至３の何れか１項に記載の性補助具。
【請求項５】
前記筒状弾性体および前記リング状弾性体の材質がシリコンであることを特徴とする請求項１乃至４の何れか１項に記載の性補助具。
【発明の詳細な説明】
【技術分野】
【０００１】
本発明は性補助具に関し、特に男性器（ペニス）に装着して好適な性補助具に関する。
【背景技術】
【０００２】
包茎ペニスの矯正や勃起持続力の補助具として、従来より各種の性補助具が提案ないし実用化されている。例えば、特許文献１には、プラスチック等の非伸縮性の材料を使用し、内径が調整でき且つ薄い素材に加工した数ミリ幅程度のリングをペニスの亀頭部直下に装着することによって、亀頭部を大きく露出させるとともに、たるんだ包皮を保持する効果を持たせたペニス用リングが提案されている。また、特許文献２には、伸縮性の高い良質のゴム等にて作られた帯体であって、一側辺はペニスの包皮を抑止し使用中巻き込まれることのない幅７ミリ程度の広幅部で半円形に変形するように形成され、他側辺は伸縮性を良くし使用中痛みを感じないようにするために軟質パイプ、薄肉幅広の膜状ゴム片等の緩衝部材を適用し、全体として環状体に形成された性補助具が提案されている。
【０００３】
【特許文献１】特開２００８−４３５６９号公報
【特許文献２】特開平６−１９７９１３号公報
【発明の開示】
【発明が解決しようとする課題】
【０００４】
特許文献１等に見られるように、数ミリ程度の幅のリングをペニスに装着する構成では、勃起時にペニスの肉質に幅の狭いリングが食い込み、苦痛を感ずるようになり易い課題がある。特許文献２等に見られるように、一部分を僅かに幅広に形成し、また他側片に伸縮性を持たせるようにすれば、そのような苦痛を多少緩和することはできる。しかし、基本的に狭い幅の１箇所でペニスを拘束する構成であるため、勃起時にペニスの先端に集まった血液をそこにとどまらせ、また、たるんだ包皮が元にもどらないようにするためには、それなりの力でペニスの１箇所を拘束する必要があり、根本的な解決策にはなっていない。
【０００５】
本発明はこのような事情に鑑みて提案されたものであり、その目的は、包茎ペニスの矯正や勃起持続力の補助具として使用者に苦痛を与えることなく安心して使用可能な性補助具を提供することにある。
【課題を解決するための手段】
【０００６】
本発明の性補助具は、筒状弾性体と、前記筒状弾性体の外周面に装着された複数のリング状弾性体とから構成され、前記複数のリング状弾性体は前記筒状弾性体に比べて伸縮し難い素材で作られており、前記複数のリング状弾性体のうち前記筒状弾性体の一端側近傍に装着されたリング状弾性体は欠落部分のない完全なリング形状を有し、残りのリング状弾性体はリング途中の少なくとも１箇所に欠落部分を有する不完全なリング形状を有する。
【発明の効果】
【０００７】
本発明によれば、包茎ペニスの矯正や勃起持続力の補助具として使用者に苦痛を与えることなく安心して使用可能な性補助具が得られる。
【発明を実施するための最良の形態】
【０００８】
次に本発明の実施の形態について図面を参照して詳細に説明する。
【０００９】
図１を参照すると、本発明の実施の形態にかかる性補助具１０は、筒状弾性体１１を主たる構成要素として有している。筒状弾性体１１は、シリコン素材で作られており、その外周面には４本のリング状弾性体１２〜１５が埋設されており、またその内周面には複数の突起１６が適当な間隔を置いて形成されている。
【００１０】
リング状弾性体１２〜１５は、筒状弾性体１１と同じくシリコン素材で作られている。但し、リング状弾性体１２〜１５は筒状弾性体１１に比べて伸縮し難くするために、リング状弾性体１２〜１５に使われるシリコン素材の硬度は、筒状弾性体１１に使われるシリコン素材の硬度よりも値が大きくなっている。例えば、筒状弾性体１１に使われるシリコン素材の硬度は１５°、リング状弾性体１２〜１５に使われるシリコン素材の硬度は２０°である。
【００１１】
４本のリング状弾性体１２〜１５のうち、筒状弾性体１１の一端側近傍に埋設されたリング状弾性体１２は、欠落部分のない完全なリング形状を有する。また、リング状弾性体１２は、他のリング状弾性体１３〜１５に比べて太くなっている。
【００１２】
他方、残りのリング状弾性体１３〜１５は、リング途中の少なくとも１箇所に欠落部分を有する不完全なリング形状を有する。本実施の形態の場合、リング状弾性体１３〜１５は、半円状のリングを２つあわせた形状を有する。つまり、リング状弾性体１３〜１５は、それぞれ欠落部分を２箇所ずつ有する。
【００１３】
また、筒状弾性体１１の外周面のうち、リング状弾性体１２〜１５が埋設された箇所は凸部を形成し、他の箇所は凹部を形成している。
【００１４】
本実施の形態の性補助具１０の各部のサイズの一例を図２〜図６に示す。図２および図３はＭサイズの性補助具１０の断面図および側面図に各部のサイズを記載したものであり、図４および図５はＬサイズの性補助具１０の断面図および側面図に各部のサイズ例を記載したものである。また、図６（ａ）および（ｂ）は性補助部１０の上面図および下面図に各部のサイズ例を記載したものである。
【００１５】
このような性補助具１０は、例えば、シリコンの射出成形によって製造した筒状弾性体１１の外周面に４本のリング状弾性体１２〜１５を接着剤で固定し、これらのリング状弾性体１２〜１５を覆うように筒状弾性体１１の外周面をシリコンの薄膜でコーティングすることで製造することができる。筒状弾性体１１、リング状弾性体１２〜１５およびコーティング膜は100％シリコン素材で形成してもよいが、任意の他の素材を混合してもよい。一例として、筒状弾性体１１には、医王石を混合してもよい。医王石は、マイナスイオン放出量がトルマリンの約２倍あり、さらに体質改善作用や抗酸化作用も他の鉱石より突出している天然鉱石である。
【００１６】
本実施の形態の性補助具１０の使用に際しては、リング状弾性体１２が男性器の根元側に来るように筒状弾性体１１の貫通孔に男性器を挿入して装着する。筒状弾性体１１の長さは36.5ミリメートル程度なので、男性器の根元部分に装着すると、亀頭部分は完全に露出した状態になる。そのとき、たるんだ包皮があれば男性器の根元側に引き寄せておく。また、図７に示す装着時の概略図に示されるように、筒状弾性体１１の内周面に設けられた突起１６が滑り止めとして働き、使用中に筒状弾性体１１が男性器の根元部分からずれるのを防止する。
【００１７】
この状態で、男性器に血液が流入して勃起し始めると、太く且つ欠落部分のない完全なリング形状を有するリング状弾性体１２によって、男性器の根元が適度な力で締め付けられるため、男性器内に流入した血液が体内に再び戻るのを抑え、男性器を持続的に勃起させる。
【００１８】
また、筒状弾性体１１にはリング状弾性体１２以外に複数のリング状弾性体１３〜１５が設けられているため、これらのリング状弾性体１３〜１５の箇所においても男性器がある程度の力で締め付けられる結果、男性器内の血液は男性器のより先端部分へと集められる。この結果、亀頭部分はより大きく張り出ることになる。
【００１９】
このように本実施の形態の性補助具によれば、包茎ペニスの矯正や勃起持続力の補助具として使用者に苦痛を与えることなく安心して使用することができる。その理由は、一つのリング状弾性体でなく、複数のリング状弾性体が装着された筒状弾性体で、たるんだ包皮を根元側に引き寄せると同時に男性器を締め付けるため、勃起時に男性器の肉質に補助具の一部が食い込んで苦痛を与えるといった恐れがないからである。
【００２０】
また、男性器の根元側はリング状弾性体１２によりある程度強い力で締め付け、それ以外はリング状弾性体１３〜１５によりそれより弱い力で締め付けることにより、男性器に流入した血液を根元部分において体内へ戻るのを抑制しつつ、男性器内においては、より先端部分に血液を集めることができ、亀頭部分を中心とした先端部分をより大きく張り出させる効果がある。
【００２１】
また、リング状弾性体１２〜１５が筒状弾性体１１よりも硬いこと、リング状弾性体１２〜１５によって筒状弾性体１１の外周面に凹凸が形成されていることにより、女性器に対して適度な刺激を与えることができる。この効果は、リング状弾性体１３〜１５をリング状弾性体１２と同様に完全なリング状にすればより一層顕著に奏されるが、リング状弾性体１３〜１５を完全なリング状にすると、男性器を締め付ける力が強くなり過ぎるため、本実施の形態においては、リング状弾性体１３〜１５をある程度太くしつつも拘束力を弱めるために、リング途中に欠落箇所を設けるようにしている。
【００２２】
以上の実施の形態では、欠落部分のある不完全なリング形状を有するリング状弾性体１３〜１５は、合計３本使用したが、３本に限定されることはなく、１本でも、２本でもよく、また４本以上であってもよい。
【産業上の利用可能性】
【００２３】
本発明の性補助具は、包茎に悩む男性や勃起持続力に自身のない男性の性補助具として好適である。
【図面の簡単な説明】
【００２４】
【図１】本発明の実施の形態にかかる性補助具の外観斜視図である。
【図２】本発明の実施の形態にかかるＭサイズの性補助具の各部のサイズ例を示す縦断面図である。
【図３】本発明の実施の形態にかかるＭサイズの性補助具の各部のサイズ例を示す側面図である。
【図４】本発明の実施の形態にかかるＬサイズの性補助具の各部のサイズ例を示す縦断面図である。
【図５】本発明の実施の形態にかかるＬサイズの性補助具の各部のサイズ例を示す側面図である。
【図６】本発明の実施の形態にかかる性補助具の各部のサイズ例を示す上面図および下面図である。
【図７】本発明の実施の形態にかかる性補助具の装着時の概略図である。
【符号の説明】
【００２５】
１０…性補助具
１１…筒状弾性体
１２…欠落部分のない完全なリング形状を有するリング状弾性体
１３〜１５…リング途中に欠落部分のある不完全なリング形状を有するリング状弾性体
１６…突起
【図１】
2010029580.tif 000003
【図２】
2010029580.tif 000004
【図３】
2010029580.tif 000005
【図４】
2010029580.tif 000006
【図５】
2010029580.tif 000007
【図６】
2010029580.tif 000008
【図７】
2010029580.tif 000009